(57)【要約】【課題】商品入り円筒状ケースを棚体に横倒状に載置する操作だけで、自動的にケース中央部が棚体に正確に載置されるようになり、陳列状態にある多数の商品入り円筒状ケースの整列の乱れを解消できる便利な商品陳列用棚を提供する。【解決手段】壁面Ｂに取着されて壁面前方に突出させた載置部７に、商品入り円筒状ケースＡを横倒状に載置して陳列する棚体３において、載置部７の後部壁際の所定の高さ位置から、載置部中間部に掛けて傾斜する傾斜誘導部９を形成し、該傾斜誘導部９の両端部に、左右一対の横ずれ規制部１０を対向的に立ち上げ、該左右一対の横ずれ規制部１０間の間隔を、傾斜誘導部後部から前部に掛けて漸進的に狭め、最少間隔を、商品入り円筒状ケースＡが緩る収まる間隔に設定した。【選択図】図１ 
2005034354.tif 000002
【特許請求の範囲】
【請求項１】
壁面に取着され、面的拡がりのある載置部を壁面前方に突出させ、載置部前端部に前移動規制部を立上げてなり、載置部上に商品入り円筒状ケースを横倒状に載置して陳列する棚体において、載置部の後部壁際の所定の高さ位置から、載置部中間部に掛けて傾斜する傾斜誘導部を形成し、該傾斜誘導部の両端部に、左右一対の横ずれ規制部を対向的に立ち上げ、該左右一対の横ずれ規制部間の間隔を、平面視において、傾斜誘導部後部から前部に掛けて漸進的に狭め、最少間隔を、商品入り円筒状ケースが緩る収まる間隔に設定したことを特徴とする商品陳列用棚。
【請求項２】
傾斜誘導部に対する横ずれ規制部の高さを、側面視において、傾斜誘導部後部から前部に掛けて漸進的に高くしたことを特徴とする請求項１記載の商品陳列用棚。
【請求項３】
棚体に組み付けられる誘導部材に、傾斜誘導部と左右一対の横ずれ規制部を一体的に形成したことを特徴とする請求項１又は２記載の商品陳列用棚。
【請求項４】
誘導部材が杆体で構成され、載置部の後端壁際の所定の高さ位置で、水平に載置部の両側に突出状に延びる後杆部と、該後杆部に平行して載置部中間部上を横切って載置部両側に突出状に延びる前杆部を有し、後杆部と前杆部の中間部を複数本の傾斜杆体で連結して傾斜誘導部を形成し、また、前杆部の両端と後杆部の両端を、前杆部側に立ち上がり部を形成した側杆部で連続させて横ずれ規制部を形成したことを特徴とする請求項１〜３のいずれか１項に記載の商品陳列用棚。
【請求項５】
誘導部材が平板体で構成され、平板体の後縁部を、載置部の後端壁際の所定の高さ位置に支持し、前縁部を載置部中間部に当接させて傾斜する板体面を傾斜誘導部に形成し、板体両端部に略三角形状の横ずれ規制板を立設して横ずれ規制部を形成したことを特徴とする請求項１〜３のいずれか１項に記載の商品陳列棚。
【発明の詳細な説明】
【技術分野】
【０００１】
本発明は、プラスチック資材からなる円筒状ケースに商品を個別に収容し、該商品入り円筒状ケースを壁面に対し横倒状に支持して整列状に陳列するために、壁面に片持ち式に突設される商品陳列用棚の改良に関するものである。
【背景技術】
【０００２】
従来より、例えば、女性用被服の販売店における販売手法の一例として、サイズや生地、生地の色柄等が相違する多数の商品を取り揃え、これらの商品の一つ一つを円筒状ケースに収容し、この商品入り円筒状ケースを壁面に取着されて壁面から突出する棚体に横倒状に載置して陳列し、顧客は、ケース毎棚体から降ろしてきて商品の試着などを行い、数多い商品の中から好みの体に合った商品を選び出して気に入った商品を決めるようなことが行われている。
【０００３】
前記するような壁面の面的拡がりを立体的に使用する商品の陳列では、壁面に対して整列状に陳列される数多い商品入り円筒状ケースを目立たせる上からすれば、商品入り円筒状ケースを載置する棚体は、極力簡潔な構成にして目立たなくすることが望まれる。このため、図７に示すように、壁面Ｂに掛止具２を介して取着されて壁面Ｂから突出する棚体３として、平面的に見て線材を口字状に折曲してなり、その後杆部を掛止具２の下端部に取り付け左右の側杆部を壁面前方に水平に突出させ、この上に商品入り円筒状ケースＡを載置する構成のものが提案されている。
【０００４】
ところで、前記する構成の棚体の場合、棚体自体は壁面に対して等間隔で横一列に取着されていても、棚体に商品入り円筒状ケースを載置する時は、ケース中央部から多少の横ずれがあっても載置が可能なために、意識してケース中央部が棚体に載置されるように注意しない限りは、棚体の両側に突出する商品入り円筒状ケースの突出長さの違い、すなわち、棚体に対す商品入り円筒状ケースの横ずれを生じ、これが隣接する商品入り円筒状ケースとの隙間を変えて整列を乱し、また、隣接する商品入り円筒状ケース同士の接触させたりして陳列形態を悪化させる。そこで、この陳列体裁を整えるとなれば、販売員の手作業となるために労力負担が大きくなる。
【０００５】
また、棚体に商品入り円筒状ケースを載置する時には、ケース中央部が棚体に載置されていても、壁面等からの振動等が継続的に棚体に伝えられるようなことがあると、これに起因して棚体上で商品入り円筒状ケースが自然に移動して横ずれを生じるようなこともある。
【発明の開示】
【発明が解決しようとする課題】
【０００６】
本発明は、このような状況に鑑みておこなわれたもので、商品入り円筒状ケースを横倒状に持って棚体上で手を離すだけで、自動的にケース中央部が棚体に正確に載置されるようになって安定し、陳列状態にある商品入り円筒状ケースの整列の乱れを解消できる便利な商品陳列用棚を提供することを目的としたものである。
【課題を解決するための手段】
【０００７】
前記目的を達成するために、本発明に係る商品陳列用棚は、壁面に取着され、面的拡がりのある載置部を壁面前方に突出させ、載置部前端部に前移動規制部を立上げてなり、載置部上に商品入り円筒状ケースを横倒状に載置して陳列する棚体において、載置部の後部壁際の所定の高さ位置から、載置部中間部に掛けて傾斜する傾斜誘導部を形成し、該傾斜誘導部の両端部に、左右一対の横ずれ規制部を対向的に立ち上げ、該左右一対の横ずれ規制部間の間隔を、平面視において、傾斜誘導部後部から前部に掛けて漸進的に狭め、最少間隔を、商品入り円筒状ケースが緩る収まる間隔に設定したことを特徴とする。
【０００８】
ここで、本発明が適用される円筒状ケースは、透明プラスチック資材からなるもので、大きさに付いては、特に制約はなく、商品の種類等によっても変えられるが、一般的には、直径１０cm程度、長さ３０cm程度のものが使い勝手が良いとされる。また、商品入り円筒状ケースとの関係において、棚体の大きさ（サイズ）は、壁面から突出する載置部の長さは、載置部上で商品入り円筒状ケースが２〜３cm程度を前後動可能な寸法に設定される。また、載置部の面的拡がり、すなわち、左右の載置部の拡がり間隔は１５cm程度のものである。
【発明の効果】
【０００９】
このように構成された本発明の商品陳列用棚によれば、商品入り円筒状ケースを横倒し状態に持ち、棚体の上にきて壁面寄りの所、すなわち、左右一対の横ずれ規制部間の間隔が大きくなっている所で手を離すと、ケースは傾斜誘導部を転動して直ぐに載置部に達し、漸進的に間隔が狭められた左右一対の横ずれ規制部に誘導されて前移動規制部に当たって動きが止まる。
【００１０】
こうして、商品入り円筒状ケースが載置部上で動きを止まる段階では、最小間隔とされる左右一対の横ずれ規制部間に収まって安定するので、横ずれは生じない。つまり、特別な手だてを必要とせず、棚体に商品入り円筒状ケースを載置する操作だけで、ケース中央部が確実に載置部に載置されるので、壁面に整列状に陳列する多数の商品入り円筒状ケースの整列の乱れをなくし、常に陳列体裁を最良の状態に維持できて、販売員は接客サービスに集中できて顧客に与える好感度の向上が図られる。
【発明を実施するための最良の形態】
【００１１】
前記商品陳列用棚において、横ずれ規制部は、棚体に載置される商品入り円筒状ケースの両側に突出する。そこで、傾斜誘導部に対する横ずれ規制部の高さを、側面視において、傾斜誘導部後部から前部に掛けて漸進的に高くした構成にすると、横ずれ規制部が棚体両側に突出して上下方向に占める高さを最少にできるので、棚体上における商品入り円筒状ケースの有無に関わらず、横ずれ規制部の存在を極力目立たなくすることができる。
【００１２】
また、前記商品陳列用棚において、棚体に組み付けられる誘導部材に、傾斜誘導部と左右一対の横ずれ規制部を一体的に形成した構成にすると、誘導部材は個別に製作することができるので、生産性を向上し、生産コストを低減することができる。
【００１３】
また、前記商品陳列用棚において、誘導部材が杆体で構成され、載置部の後端壁際の所定の高さ位置で、水平に載置部の両側に突出状に延びる後杆部と、該後杆部に平行して載置部中間部上を横切って載置部両側に突出状に延びる前杆部を有し、後杆部と前杆部の中間部を複数本の傾斜杆体で連結して傾斜誘導部を形成し、また、前杆部の両端と後杆部の両端を、前杆部側に立ち上がり部を形成した側杆部で連続させて横ずれ規制部を形成した構成にすると、棚体と誘導部材が、同じ線材で構成されるので、両者を組み合わせる上で、形態的マッチングの向上が図られて意匠的効果を高めることができる。
【００１４】
また、前記商品陳列用棚において、誘導部材が平板体で構成され、平板体の後縁部を、載置部の後端壁際の所定の高さ位置に支持し、前縁部を載置部中間部に当接させて傾斜する板体面を傾斜誘導部に形成し、板体両端部に略三角形状の横ずれ規制板を立設して横ずれ規制部を形成した構成にすると、誘導部材全体を、プラスチック資材からなる一体成形品としての生産が可能となり、安価に提供できる。また、平板体構成の誘導部材は、棚体上に商品入り円筒状ケースが載置された状態では、ケースに隠されてさほど目立つことはないが、棚体が空になった時は、棚体上にあって人目に付き易いので、板面を商品の種類、サイズ、生地（素材）等の商品の特徴を表示する表示板として利用することができるので、顧客は商品の特徴を判別するのに役立ち、商品を探し易くする。
【実施例１】
【００１５】
以下、図面を参照しながら、本発明の実施例に係る商品陳列用棚について具体的に説明する。
【００１６】
図１は本発明に係る商品陳列用棚の側面図、図２は誘導部材の斜視図、図３は商品陳列用棚の平面図、図４は図３のａ−ａ線における断面図である。
【００１７】
図に示すように、商品陳列用棚１は、店内壁面Ｂに掛止具２を介して取着され、壁面Ｂから水平に突出して商品入り円筒状ケースＡが載置される棚体３と、商品入り円筒状ケースＡを棚体３の定位置に誘導する誘導部材４から構成されている。
【００１８】
前記掛止具２は、金属板をほぼＵ字状に折曲してなるもので、店内壁面Ｂに形成した上向き凸縁５に引っ掛けて取着するために、壁面Ｂに対応する板体の上端部に、下方に折り曲げられた鉤状の取付け具６を形成している。
【００１９】
前記棚体３は、線材で構成されたもので、平面的に見て線材を口字状に折曲してなり、その後杆部３ａを掛止具２の下端部、すなわち、掛止具２の下端折曲部に落とし込ませて溶接によって取り付け、この後杆部３ａの両端に連続する左右の側杆部を壁面前方に水平に突出させて商品入り円筒状ケースＡを横倒状に載置する載置部７を形成し、この左右の側杆部の前端に連続する前杆部は、左右の側杆部の前端部を含め上向きに立ち上げて、載置部７上に載置される商品入り円筒状ケースＡが前側へ移動（転動）するのを規制する前移動規制部８を形成している。
【００２０】
前記誘導部材４は、棚体３の載置部７の後部壁際の所定の高さ位置から、載置部７の中間部に掛けて傾斜する傾斜誘導部９を形成し、この傾斜誘導部９に連係して両端部に、左右一対の横ずれ規制部１０を対向的に立ち上げている。
【００２１】
図１〜図４に示す実施例における誘導部材４は、線材１１で構成したもので、前記掛止具２のもう片方の板体の上端部に係止される係止具１２を介して取着され、棚体３の載置部７の後端壁際で、水平に載置部７の両側に突出状に延びる後杆部１１ａと、この後杆部１１ａに平行して載置部７の中間部上を横切って載置部７の両側に突出状に延びる前杆部１１ｂを有し、これら後杆部１１ａと前杆部１１ｂの中間部を複数本の傾斜杆で連結して傾斜誘導部９を形成し、また、前杆部１１ｂの両端と、後杆部１１ａの両端を側杆部で連続させ、この側杆部は、前杆部１１ｂ端部から上向きに立ち上がり部を形成し、所定の高さ位置から後杆部１１ａの後端向けに折曲して横ずれ規制部１０を形成している。
【００２２】
こうして線材１１で構成された誘導部材４は、側面視において、傾斜誘導部９に対し横ずれ規制部１０の高さを、傾斜誘導部９の後部から前部に掛けて漸進的に高くし、また、平面視においては、左右一対の横ずれ規制部１０間の間隔が、傾斜誘導部９の後部から前部に掛けて漸進的に狭められ、最小間隔としては、左右一対の横ずれ規制部１０間に商品入り円筒状ケースＡが緩る収まる間隔に設定している。なお、誘導部材４を構成する線材１１には、例えば、ステンレス鋼等が使用されるが、太さ的には必ずしも各部を同じにする必要はなく、外部から掛かる荷重を配慮し、形態的安定性を確保する上から、実施例では、後杆部１１ａと傾斜誘導部９を形成する傾斜杆には太い目の線材を使用し、前杆部１１ｂから横ずれ規制部１０を形成する側杆部に掛けては細い目の線材を使用している。
【００２３】
次に、前記構成からなる商品陳列用棚１の使用態様を説明する。
【００２４】
商品入り円筒状ケースＡを横倒し状態にして持ち、棚体３の上まで持っていって、壁寄りの所で手を離すと、ケースＡは傾斜誘導部９に当たって該誘導部９を転動して直ぐに載置部７に達し、前移動規制部８に当接して動きが止まって安定する。
【００２５】
この場合、棚体３上で商品入り円筒状ケースＡが手から離される位置では、左右一対の横ずれ規制部１０間の間隔が大きく（広く）なっているので、商品入り円筒状ケースＡはこの間にさえ入いれば、後は傾斜誘導部９を転動して漸進的に間隔が狭められた左右一対の横ずれ規制部１０に誘導されて載置部７に達し、前移動規制部８に当接して動きを止める段階では、最小間隔とされる左右一対の横ずれ規制部１０間に収まり、横ずれがない状態で安定する。
【００２６】
従って、棚体３に商品入り円筒状ケースＡを載置する操作だけで、ケース中央部が確実に載置部７に載置され、壁面Ｂに整列状に陳列する多数の商品入り円筒状ケースＡの整列の乱れをなくし、常に陳列体裁を最良の状態に維持できる。
【００２７】
図５〜図６は本発明に係る誘導部材の別の実施例を示すもので、図５は誘導部材４の正面図、図６は商品陳列用棚の側面図である。
【００２８】
この実施例の誘導部材４は、一枚の平板体１３からなるもので、プラスチック資材等を用いて一体成形も可能とするものである。
【００２９】
この実施例の誘導部材４は、平板体１３の後縁部中央に設けた係止具１４を、前記掛止具２を構成する片方の板体の上端部に係止して取着すると、棚体３の載置部７の後端壁際で、平板体１３の後縁部１３ａが、載置部７の後部壁際で所定の高さを採って水平に載置部７の両側に突出状に延び、平板体１３の前縁部１３ｂは載置部７の中間部上を横切って載置部７の両側に突出状に延び、こうして傾斜する板面で傾斜誘導部９を形成し、また、平板体１３の両端部に、略三角形状の横ずれ規制板１３ｃを立設して左右一対の横ずれ規制部１０を形成し、この左右一対の横ずれ規制部１０は、前記の実施例同様に、平面視において、左右一対の横ずれ規制部１０間の間隔が、傾斜誘導部９の後部から前部に掛けて漸進的に狭められ、最小間隔としては、左右一対の横ずれ規制部１０間に商品入り円筒状ケースＡが緩る収まる間隔に設定したもので、基本的には、前記の実施例と同じ作用効果を奏するものであるが、誘導部材４全体を、プラスチック資材からなる一体成形品としての生産が可能となるので安価に提供できる。また、平板体１３構成の誘導部材４は、棚体３が空になった時に人目に付き易いので、板面に商品の種類やサイズ等の商品の特徴を表示する表示板として利用できて便利なものである。
【産業上の利用可能性】
【００３０】
本発明に係る商品陳列用棚によれば、多数の商品を揃える店舗において、商品の陳列に、壁面の面的な拡がりをを立体的に使用することにより商品の陳列に広いスペースを必要とせず、商品入り円筒状ケースを個々に棚体に載置するだけの操作で、自動的に棚体にケースは横ずれなく載置され、多数の商品入り円筒状ケースを壁面に陳列して整列の乱れがなく商品を体裁良く陳列することができる。また、顧客に対しては、商品を簡単に取り出すことができて、現物を直接手に取り、他の商品と比較した上で気に入った商品を多数の商品の中から選定し得る満足感を与えることができて需要を増加させ得る。
【図面の簡単な説明】
【００３１】
【図１】本発明に係る商品陳列用棚の側面図である。
【図２】誘導部材の斜視図である。
【図３】商品陳列用棚の平面図である。
【図４】図３のａ−ａ線における断面図である。
【図５】誘導部材の正面図である。
【図６】商品陳列用棚の側面図である。
【図７】壁面に取着された棚体の斜視図である。
【符号の説明】
【００３２】
１  商品陳列用棚
２  掛止具
３  棚体
３ａ  後杆部
４  誘導部材
５  凸縁
６  取付け具
７  載置部
８  前移動規制部
９  傾斜誘導部
１０  横ずれ規制部
１１  線材
１１ａ  後杆部
１１ｂ  前杆部
１２  係止具
１３  平板体
１３ａ  後縁部
１３ｂ  前縁部
１３ｃ  規制板
１４  係止具
Ａ  商品入り円筒状ケース
Ｂ  壁面
【図１】
2005034354.tif 000003
【図２】
2005034354.tif 000004
【図３】
2005034354.tif 000005
【図４】
2005034354.tif 000006
【図５】
2005034354.tif 000007
【図６】
2005034354.tif 000008
【図７】
2005034354.tif 000009